(57)【特許請求の範囲】
【請求項１】
建物の窓に面して設置されるガーデンバルコニーを備えた建物であって、
前記窓に向かって下がり勾配するとともに、緑化用培地の庭を構成する勾配床面部を有し前記勾配床面部の下には、この勾配床面部の勾配に沿った斜天井が形成されたガーデンバルコニーと、前記勾配床面部の下に設けられた居室とを備え、建物の最外周部の外壁の前記勾配床面部の勾配が高い側の近傍には前記居室と屋外とを連通する開口部が設けられ、この開口部にはガラス窓が設けられていることを特徴とする建物。
【請求項２】
請求項１に記載の建物であって、
前記窓は、その下端が前記窓を有する部屋の床より高い腰高窓であり、前記窓の下端近くに向かって前記勾配床面部が設けられ、前記窓を有する部屋の下階床と、前記勾配床面部より下方に位置する前記居室の床とは段差を有するスキップフロアとなっていることを特徴とする建物。
【請求項３】
請求項１または２に記載の建物であって、
前記窓を有する部屋には屋根が設けられ、この屋根の軒先から前記勾配床面部の傾斜の高い側の端部に向かって可動式のひさしが設けられていることを特徴とする建物。
【請求項４】
請求項１から３のいずれかに記載の建物おいて、
前記窓と前記勾配床面部との間には略水平な歩行用の水平床面部が設けられていることを特徴とする建物。
【請求項５】
請求項４に記載の建物において、
前記勾配床面部と前記水平床面部との間には仕切りが設けられていること特徴とする建物。
【請求項６】
請求項１から５のいずれかに記載の建物において、
前記勾配床面部とこの勾配床面部の縁部に設けられた壁部とを備え、これらの勾配床面部と壁部とはユニット化されていること特徴とする建物。
【請求項７】
請求項１から６のいずれかに記載の建物において、
前記勾配床面部には防水層が形成されていることを特徴とする建物。
【発明の詳細な説明】
【０００１】
【発明の属する技術分野】
本発明は、建物の窓に面して設置されるバルコニーを備えた建物に関する。
【０００２】
【背景技術】
従来、住宅等の建物の屋上やバルコニーは洗濯物の干し場や園芸等様々な目的で利用されている。特に、都市部では敷地が狭く、庭として十分な広さを確保できないため、屋上やバルコニーで園芸をする人が増えている。そのため、バルコニーを園芸スペースとして使用できるものが提案されている（特開平１０−１８４０３９号参照）。
一方、都市部の温暖化の防止策や居住者の安らぎを与えるため、屋上やバルコニーの緑化が推進されている。
【０００３】
【発明が解決しようとする課題】
しかし、従来の屋上やバルコニーでは十分な広さを確保することが難しく、屋上やバルコニーいっぱいに植裁したり、鉢植えされた植物を置いたりしても広い庭のように見せることができなかった。また、屋上やバルコニーいっぱいに鉢植えされた植物を配置してしまうと雑然とした印象を与えてしまう場合があった。
【０００４】
本発明の目的は、整頓された広い庭のように見えるガーデンバルコニーを備えた建物を提供することである。
【０００５】
【課題を解決するための手段】
そのため、本発明は次の構成を採用して前記目的を達成しようとするものである。
添付の図面を参照して説明すると、請求項１記載の発明は、建物１の窓２５に面して設置されるガーデンバルコニーを備えた建物であって、窓２５に向かって下がり勾配するとともに、緑化用培地の庭を構成する勾配床面部３１を有し勾配床面部３１の下にはこの勾配床面部３１,３１２の勾配に沿った斜天井３８が形成されたガーデンバルコニーと、前記勾配床面部３１の下に設けられた居室とを備え、建物の最外周部の外壁の前記勾配床面部の勾配が高い側の近傍には前記居室と屋外とを連通する開口部３９Ａが設けられ、この開口部３９Ａにはガラス窓３９が設けられていることを特徴とする。
【０００６】
この構成の本発明では、ガーデンバルコニーの勾配床面部３１,３１２は窓に向かって下り勾配を有するため、窓から勾配床面部３１,３１２を見ると、奥行きがあるように見えるので、床面が広く見える。この勾配床面部３１,３１２に鉢植え等を配置すれば、広い庭のような印象を与えることができる。また、勾配床面部３１,３１２に鉢植え等を配置し、窓から見た場合、奥側の勾配の高い側に配置した鉢植え等も見え、整頓された庭のように見える。さらに、勾配床面部３１が見えなくなるように植裁し、手前側を芝中心とし、中間から奥にいくに従って低い木からわずかずつ高さを高くした木を徐々に密になるように植裁していくと、奥側の木はそれほど高くなくても勾配床面部３１の高さが加わるので、奥にいくほど高い木が植えられているように見せることができる。
しかも、勾配床面部３１,３１２は緑化培地であるため直接植物を植えることができ、広い庭のように見える。また、緑化培地でない床面部に鉢植えされた植物を並べる場合に比べ、より自然の庭らしい印象を与えることができる。その上、勾配床面部３１,３１２の勾配に沿った斜天井３８が形成されているため、勾配床面部３１,３１２の下を居室スペースとして有効利用することができる。さらに、勾配床面部３１,３１２の下の居室と屋外とを連通する開口部３９Ａが設けられており、この開口部３９Ａは居室の上方にあるため、隣接する建物等によって光が遮られることが少ない。そのため、居室内に多くの光を集めることができる。さらに、この開口部３９Ａのガラス窓３９を開放して通気をおこなうことができる。
【０００７】
請求項２記載の発明は、請求項１に記載の建物であって、前記窓は、その下端が前記窓を有する部屋の床より高い腰高窓であり、前記窓の下端近くに向かって前記勾配床面部が設けられ、前記窓を有する部屋の下階床と、前記勾配床面部より下方に位置する前記居室の床とは段差を有するスキップフロアとなっていることを特徴とする。
【０００８】
請求項３記載の発明は、請求項１または２に記載の建物であって、前記窓を有する部屋には屋根が設けられ、この屋根の軒先から前記勾配床面部の傾斜の高い側の端部に向かって可動式のひさしが設けられていることを特徴とする。
【００１３】
請求項４記載の発明は、請求項１から３のいずれかに記載の建物において、窓２５と勾配床面部３１,３１２との間には略水平な歩行用の水平床面部３２,３２１が設けられていることを特徴とする。
【００１４】
この構成の発明によれば、窓２５と勾配床面部３１,３１２との間に水平床面部３２,３２１が設けられているため、ガーデンバルコニーの手入れをする際等に歩行用として利用でき、安全性を確保できる。
【００１５】
請求項５記載の発明は、請求項４記載の建物において、勾配床面部３１,３１２と水平床面部３２,３２１との間には仕切り３４が設けられていること特徴とする。
【００１６】
この構成の発明によれば、勾配床面部３１,３１２と水平床面部３２,３２１との間には仕切り３４が設けられているため、ガーデンバルコニーの勾配床面部３１,３１２から雨水等が建物側に侵入してくることを防止することができる。また、この仕切り３４はガーデンバルコニーの床面部３１,３１２を緑化培地とした場合、土留めとしての役割も果たす。さらに、この仕切り３４を柵として利用してもよい。
【００１７】
請求項６記載の発明は、請求項１から５のいずれかに記載の建物において、勾配床面部３１,３１２とこの勾配床面部３１,３１２の縁部に設けられた壁部３３とを備え、これらの勾配床面部３１,３１２と壁部３３とはユニット化されていること特徴とする。
この構成の発明によれば、ガーデンバルコニーはユニット化されているため、建設現場でのバルコニーの施工作業を軽減することができ、施工時間を短縮することができる。
【００１８】
請求項７記載の発明は、請求項１から６のいずれかに記載の建物において、勾配床面部３１,３１２には防水層が形成されていることを特徴とする。
この構成の発明によれば、ガーデンバルコニーの勾配床面部３１,３１２に防水層が形成されているため、この勾配床面部３１,３１２から下方の居室等に雨水等が侵入することを防止できる。また、ガーデンバルコニーの床面部３１,３１２を緑化培地とした場合、この培地が雨水等により崩れてしまうことを防ぐことができる。
【００１９】
【発明の実施の形態】
以下、本発明の実施形態を図面に基づいて説明する。ここで、各実施形態中、同一要素は同一符号を付して説明を省略若しくは簡略する。
図１及び図２には本発明の第１実施形態が示されている。
図１において、建物１は基礎１０の上に施工された二階建ての建物本体２０と、この建物本体２０の上部に設けられ、屋根パネル５１からなる屋根５０とを備える。
【００２０】
建物本体２０の一階部分は図示しないが柱梁を組み込んだ略直方体形状の骨組みに、床材、壁材等の造作材を取り付けて構成された建物ユニット２１を複数個組み合わせて構成されている。建物本体２０の２階部分北側には傾斜した建物ユニット２２が設けられ、２階部分中央にはコ字形に切り欠かれベランダ２６が形成された建物ユニット２３が設置されている。さらに、２階部分南側にはバルコニーユニット３０が設けられている。
【００２１】
建物ユニット２３にはベランダ２６に面した窓２５が設けられており、この窓２５に対向してバルコニーユニット３０が設置されている。
【００２２】
バルコニーユニット３０も建物ユニット２１と同様、柱梁を組み込んだ骨組みに、床材、壁材等の造作材を取り付けてユニットとして構成されている。
このバルコニーユニット３０は設置時に窓２５に向かって下り傾斜を有する勾配床面部３１と、この勾配床面部３１の傾斜の低い方の端部に一体成形された水平な歩行用床面部３２と、勾配床面部３１と歩行用床面部３２の縁部下方に設けられた外壁面材３３とを有する。歩行用床面部３２は歩行に適した幅を有し、バルコニーユニット３０を設置した際、ベランダ２６の床との境界部分に段差が生じないよう成形されている。また、ベランダ２６の床及びバルコニーユニット３０の歩行用床面部３２の東側及び西側には転落防止のための柵４０が設けられている。
【００２３】
図２に示すように、勾配床面部３１はその床面を緑化用培地として使用できるものであり、培地として人工軽量土壌が用いられている。勾配床面部３１の勾配は太陽光の入射角度以下である。勾配床面部３１の上面には防水シート３７が設けられ、その上面に勾配床面部３１の水平方向に沿って桟木３６が複数本設置されている。歩行用床面部３２との境界部分以外の勾配床面部３１の端縁には上方に突出する立ち上がり部３５が一体形成され、勾配床面部３１と歩行用床面部３２との境界部分には仕切り３４が設けられている。この仕切り３４は歩行用床面部３２に対し、垂直に設けられている。また、勾配床面部３１の下面はこの勾配床面部３１の勾配に沿った斜天井３８となっており、バルコニーユニット３０とその下方の建物ユニット２１は連続した居室スペースを形成する。
【００２４】
バルコニーユニット３０の南側の外壁面材３３には開口部３９Aが形成されている。この開口部３９Aは居室の採光用あるいは換気用として用いられるものであり、ガラス窓３９が設けられ、開閉自在となっている。
【００２５】
従って、本実施の形態によれば、次の作用効果を奏することができる。
（１）建物ユニット２３の窓２５に対向してバルコニーユニット３０が設置されており、このバルコニーユニット３０は窓２５に向かって下り傾斜を有する勾配床面部３１を有する。そのため、奥行きがあるように感じ、バルコニーが広い庭のように見える。
（２）下り傾斜を有する勾配床面部３１を設けたため、土等を盛って傾斜を作った場合に比べバルコニーユニット３０が軽量となり、下方の建物ユニット２１にかかる負担が少なくなる。また、人工軽量土壌を用いたためさらに下方の建物ユニット２１にかかる負担を軽減することができる。
（３）勾配床面部３１は緑化用培地であるため、より自然の庭らしい印象を与えることができる。また、窓２５から見た場合、奥側にあたる傾斜の高い側に植えた植物も見えるため整頓された庭のような印象を与える。さらに、勾配床面部３１が見えなくなるように植裁し、手前側を芝中心とし、中間から奥にいくに従って低い木からわずかずつ高さを高くした木を徐々に密になるように植裁していくと、奥側の木はそれほど高くなくても勾配床面部３１の高さが加わるので、奥にいくほど高い木が植えられているように見せることができる。
【００２６】
（４）勾配床面部３１とこの勾配床面部３１に植えられた植物が堀の役目を果たし、また、この勾配床面部３１の勾配は太陽光の入射角度以下であるため、町中であってもプライバシーが保たれかつ採光が十分に確保されたベランダ２６及び建物ユニット２３とすることができる。
（５）勾配床面部３１の下面を斜天井３８とし、バルコニーユニット３０と下方の建物ユニット２１と連通させたため、天井の高い居室を形成することができる。そのため、この居室に開放感が生じる。バルコニーユニット３０の南側の外壁面材３３にはガラス窓３９が設けられており、このガラス窓３９は居室の上方に設けられているので、隣接する建物等によって光が遮られることが少なく多くの光を集めることができる。また、このガラス窓３９は開閉自在であるため、居室の換気をおこなうこともできる。
【００２７】
（６）バルコニーユニット３０に略水平な歩行用床面部３２を形成したため、植物の手入れをする際等に利用でき、作業を安全に行うことができる。
（７）勾配床面部３１の端縁に上方に突出する立ち上がり部３５を設けたため、勾配床面部３１から土がこぼれて建物本体２０や、その周囲を汚してしまう虞がない。
（８）勾配床面部３１と歩行用床面部３２との間には仕切り３４が設けられており、この仕切り３４は歩行用床面部３２から垂直に立ち上がって形成されているため、勾配床面部３１からの雨水等の侵入を防ぐことができる。さらにこの仕切り３４は土留めとしての役割も果たすことができる。
（９）ガーデンバルコニーはユニット化されているため、建設現場での作業を軽減することができ、施工時間を短縮することができる。
（１０）勾配床面部３１の床面に防水シート３７が形成されているため、この床面から下方の居室に雨水等が侵入することを防止できる。また雨水等による培地の崩れを防止することができる。
（１１）防水シート３７の上面に、勾配床面部３１の水平方向に沿って桟木３６が配置されているため、土壌の崩れをさらに防ぐことができる。
【００２８】
次に本発明の第２実施形態を図３に基づいて説明する。
第２実施形態は第１実施形態とバルコニーユニット３０の構造が異なるものでその他の構成は第１実施形態と同じである。
【００２９】
ベランダ２６に面した窓２５に対向してバルコニーユニット３０１が設置されており、バルコニーユニット３０１は設置時に窓２５に向かって下り傾斜を有する勾配床面部３１と、この勾配床面部３１の傾斜の低い方の端部に一体成形された水平な歩行用床面部３２１と、勾配床面部３１と歩行用床面部３２１の縁部下方に設けられた外壁面材３３とを有する。勾配床面部３１と歩行用床面部３２１との境界部分において、勾配床面部３１上面は歩行用床面部３２１上面よりも下方になるように設けられているため、歩行用床面部３２１はバルコニーユニット３０の仕切り３４の役目を兼ねている。勾配床面部３１にはバルコニーユニット３０と同様、立ち上がり部３５が設けられている。
従って、第２実施形態では、第１実施形態の（1）から（１１）の効果を奏することができるほか、次の効果を奏することができる。
（１２）歩行用床面部３２１が仕切り３４の役目を兼ねるため、第１実施形態のような歩行用床面部３２と仕切り３４との段差が無くなり、植物の手入れがしやすい。また、仕切り３４につまずくこともないので安全となる。
【００３０】
次に本発明の第３実施形態を図４に基づいて説明する。
第３実施形態は第１実施形態及び第２実施形態とバルコニーユニット３０２の構造が異なるものでその他の構成は前記実施形態と同じである。
ベランダ２６に面した窓２５に対向してバルコニーユニット３０２が設置されており、バルコニーユニット３０２は設置時に窓２５に向かって下り勾配を有する勾配床面部３１２と、この勾配床面部３１２に一体成形された水平な歩行用床面部３２と、勾配床面部３１２と歩行用床面部３２の縁部下方に設けられた外壁面材３３とを有する。
勾配床面部３１２にはバルコニーユニット３０と同様、立ち上がり部３５が設けられている。勾配床面部３１２は階段状成形され、水平な階段面が形成されている。この各階段面の北側の端部には、上方に突出する仕切り３４が設けられている。勾配床面部３１２と歩行用床面部３２の境界部分には勾配床面部３１２の水平方向に沿ってコ字形切り欠き４１が形成されている。
【００３１】
従って、第３実施形態では、第１実施形態の（1）から（１１）の効果を奏することができるほか、次の効果を奏することができる。
（１３）勾配床面部３１２は階段状成形され、水平な階段面が形成されているため、植物の手入れをする際、傾斜面で作業することが無くなるので、安全性が高まる。
（１４）勾配床面部３１２には水平な階段面が形成されているため、傾斜面にした場合に比べ土壌が崩れにくい。
（１５）さらに、一段毎に仕切り３４を設けたため、土壌の崩れを確実に防止できる。
（１６）勾配床面部３１２と歩行用床面部３２の境界部分には切り欠き４１が形成されているため、この切り欠き４１は排水溝として利用できる。
【００３２】
次に本発明の第４実施形態を図５に基づいて説明する。
第４実施形態は前記実施形態と建物本体の構造が異なるもので、第１実施形態と同じバルコニーユニット３０を用いたものである。
建物１Aは、基礎１０の上に施工された建物本体２０Aを有する。
建物本体２０Aは建物ユニット２１Aを複数個組み合わせて構成され、三階建て建物２０１と、この三階建て建物２０１の南側に隣接する二階建て建物２０２とを備える。三階建て建物２０１の最上部の建物ユニット２１Aの上方には屋上が設けられている。
三階建て建物２０１の最上部の建物ユニット２１Aに設置された窓２５Aに面して、バルコニーユニット３０が設けられている。このバルコニーユニット３０の勾配床面部３１は窓２５Aに向かって下り傾斜を有する。また、このバルコニーユニット３０は下方の二階建て建物２０２の最上部の建物ユニット２１Aと連続している。
第４実施形態では第１実施形態と同様（１）から（１１）の効果を奏することができる。
【００３３】
次に本発明の第５実施形態を図６に基づいて説明する。
第５実施形態は前記実施形態と建物本体の構造及びバルコニーの構造が異なるものである。
建物１Bは基礎１０の上に施工された建物本体２０Bと、その上部に設けられた屋根５０B及び屋根５０B’とを有する。
屋根５０Bは屋根ユニット５１Bを複数組み合わせて形成されたものであり、屋根５０B'は屋根ユニット５１B'から構成されたものである。
【００３４】
建物本体２０Bは建物ユニット２１Bを複数個組み合わせて構成された一階建て建物２０３と二階建ての建物２０４とから構成されており、二階建て建物２０４の二階部分の建物ユニット２１Bに面して一階建ての建物２０３の屋根５０Bが設けられている。二階部分の建物ユニット２１Bに面した屋根５０Bを構成する屋根ユニット５１Bのうち、この建物ユニット２１Bに向かって下り傾斜した屋根ユニット５１Bの上面にガーデンバルコニー６０が形成され、このガーデンバルコニー６０は屋根としての役割を兼ねている。また、このガーデンバルコニー６０の東側と西側の端部には転落防止のための柵４０が設けられている。さらに、ガーデンバルコニー６０の上面には図示しないが防水シート及び桟木が設置されている。ガーデンバルコニー６０はバルコニーユニット３０,３０１及び３０２と異なり、歩行用床面部３２,３２１,外壁面材３９及びガラス窓３９を有していない。
第５実施形態では（１）から（４）,（１０）及び（１１）の効果の他に屋根上を有効利用することができるという効果を奏することができる。
【００３５】
次に本発明の第６実施形態を図７に基づいて説明する。
第６実施形態は前記実施形態と建物の構造が異なるもので、第１実施形態と同じバルコニーユニット３０を用いたものである。
建物１Cは基礎１０の上に施工された建物本体２０Cを有する。
この建物本体２０Cは北側に設置された三階建ての建物２０５と、その隣に設置され三階建て建物２０５よりも高さが低い三階建て建物２０６と、その隣に配置される二階建て建物２０７とから構成される。これらはスキップフロアとなるように接続されている。
【００３６】
それぞれの建物の最上部の建物ユニット２１Cの上部にはバルコニーユニット３０が設けられている。三階建ての建物２０５の最上部の建物ユニット２１Cの窓２５１Cに面して、三階建て建物２０６にバルコニーユニット３０が設置される。また、三階建ての建物２０６の最上部の建物ユニット２１Cの窓２５２Cに面して、二階建て建物２０７にバルコニーユニット３０が設置される。
三階建て建物２０６及び二階建て建物２０７の上部に設けられたバルコニーユニット３０の勾配床面部３１は、それぞれ窓２５１C及び２５２Cに向かって下り傾斜を有する。
さらに、バルコニーユニット３０の勾配床面部３１の下面は斜天井３８となっており、各建物の最上部の建物ユニット２１Cとバルコニーユニット３０とが連続した居室となっている。
【００３７】
第６実施形態では、（１）から（１１）の効果を奏することができる。さらに、以下の効果も奏することができる。
（１７）南側に向けて順に建物の高さが低くなるように設置したため、建物の最上部の建物ユニット２１Cとバルコニーユニット３０とが連通して構成された全ての居室に採光することができる。
（１８）複数箇所バルコニーユニット３０を設置することができるため、庭として利用できる場所が多くなり、様々な植物を植え、さらに、園芸を楽しむことができる。
（１９）スキップフロアとすることにより、窓２５１C,２５２Cに面してバルコニーユニット３０が設置され、それぞれバルコニーユニット３０の勾配床面部３１は窓２５１C,２５２Cに向かって下り傾斜を有するため、一般には難しい、いわゆる腰高窓である窓２５１C,２５２Cから庭全体を眺めると言った行為も、座った状態でも容易に行うことができる。
【００３８】
次に本発明の第７実施形態を図８に基づいて説明する。
第７実施形態は前記実施形態と建物の構造が異なるもので、第１実施形態のバルコニーユニット３０及び第２実施形態のバルコニーユニット３０１を用いたものである。。
この建物１Dは４階建ての建物であり、複数の建物ユニット２１Dを組み合わせて構成されている。
【００３９】
一階部分の居室の隣にフラットな庭が設けられている。二階部分と三階部分にはメゾネットが構成されている。また、二階部分の建物ユニット２１Dの窓２５１Dに面してバルコニーユニット３０１が設置されている。三階部分の窓２５２Dに面してベランダ２６Dが設けられており、四階部分の建物ユニット２１Dの窓２５３Dに面してバルコニーユニット３０が設置されている。ベランダ２６Dはインナーバルコニーユニットから構成され、このインナーバルコニーユニットは上下のバルコニーユニット３０,３０１の間に配置されている。バルコニーユニット３０及びバルコニーユニット３０１の勾配床面部３１は窓２５１D及び２５３Dに向かって下り勾配を有する。
第７実施形態では（１）から（１２）及び（１８）の効果を奏することができる。
【００４０】
次に本発明の第８実施形態を図９に基づいて説明する。
第８実施形態は前記実施形態と建物の構造が異なるもので、第１実施形態と同じバルコニーユニット３０を用いたものである。
建物１Eは基礎１０の上に施工された二階建ての建物本体２０Eと、この建物本体２０Eの上部に設けられ、屋根パネル５１Eからなる屋根５０Eとを備える。建物本体２０Eの一階部分は建物ユニット２１を複数個組み合わせて構成されている。建物本体２０Eの２階部分北側には傾斜した建物ユニット２２が設けられ、２階部分中央には建物ユニット２３Eが設置されている。さらに、２階部分南側にはバルコニーユニット３０が設けられている。第１実施形態の建物ユニット２３と異なり、建物ユニット２３Eにはベランダ２６が設けられていない。
【００４１】
南側の屋根パネル５１Eの軒先からバルコニーユニット３０の勾配床面部３１の傾斜の高い側の端部に向かって可動式のひさし５２が設けられている。
第８実施形態では（１）から（１１）の効果に加え、雨の日はひさし５２を延ばし、バルコニーユニット３０への雨水の浸入を防ぐことができる。また、これにより、勾配床面部３１上の土壌の雨水による崩れを防止することができるという効果を奏する。
【００４２】
なお、本発明は前述の実施形態に限定されるものではなく、本発明の目的を達成できる範囲での変形、改良等は本発明に含まれるものである。
例えば、前記実施形態では、バルコニーの勾配床面部３１を緑化用培地として使用できるものとし、植物を植えることができるようにしたが、勾配床面部３１に人工芝等を敷き詰め造花を飾っても良い。この様にすれば、植物の手入れをする必要がなく、バルコニーの管理が楽になる。
【００４３】
また、前記実施形態では勾配床面部３１の下面はこの勾配床面部３１の勾配に沿った斜天井３８となっており、バルコニーユニット３０と下方の建物ユニット２１は連続した居室としたが、バルコニーユニット３０と下方の建物ユニット２１とを連続させず、バルコニーユニット３０の下方を小屋裏等として利用しても良い。
【００４４】
【発明の効果】
請求項１記載の発明によれば、建物の窓に面して設置されるガーデンバルコニーの床面は窓に向かって下り勾配を有するため、窓から勾配床面部を見ると、奥行きがあるように見えるので、床面が広く見える。この勾配床面部に鉢植え等を配置すれば、広い庭のような印象を与えることができる。また、勾配床面部に鉢植え等を配置し、窓から見た場合、奥側の勾配の高い側に配置した鉢植え等も見え、整頓された庭のように見える。さらに、勾配床面部が見えなくなるように植裁し、手前側を芝中心とし、中間から奥にいくに従って低い木からわずかずつ高さを高くした木を徐々に密になるように植裁していくと、奥側の木はそれほど高くなくても勾配床面部の高さが加わるので、奥にいくほど高い木が植えられているように見せることができる。しかも、勾配床面部が緑化培地であるため直接植物を植えることができ、広い庭のように見える。また、緑化培地でない床面部に鉢植えされた植物を並べる場合に比べ、より自然の庭らしい印象を与えることができる。さらに、勾配床面部の勾配に沿った斜天井が形成されているため、勾配床面部の下を居室、玄関ポーチ、インナーバルコニー等のスペースとして有効利用することができる。その上、勾配床面部の下の居室と屋外とを連通する開口部が設けられており、この開口部は居室の上方にあるため、隣接する建物等によって光が遮られることが少ない。そのため居室内に多くの光を集めることができる。さらに、この開口部を用いて通気をおこなうことができる。
【００４８】
請求項４記載の発明によれば、窓と勾配床面部との間に水平床面部が設けられているため、ガーデンバルコニーの手入れをする際等に歩行用として利用でき、安全性を確保できる。
【００４９】
請求項５記載の発明によれば、勾配床面部と水平床面部との間には仕切りが設けられているため、ガーデンバルコニーの床面からの流れ込む雨水等が建物側に侵入してくることを防止することができる。また、この仕切りはガーデンバルコニーの床面部を緑化培地とした場合、土留めとしての役割も果たす。さらに、この仕切りを柵として利用してもよい。
【００５０】
請求項６記載の発明によれば、ガーデンバルコニーはユニット化されているため、建設現場でのバルコニー施工作業を軽減することができ、施工時間を短縮することができる。
【００５１】
請求項７記載の発明によれば、ガーデンバルコニーの勾配床面部に防水層が形成されているため、この勾配床面部から雨水等が侵入することを防止できる。また、ガーデンバルコニーの床面部を緑化培地とした場合、この培地が雨水等により崩れてしまうことを防ぐことができる。
【図面の簡単な説明】
【図１】本発明の第１実施形態にかかるガーデンバルコニー付き建物を示す斜視図である。
【図２】前記ガーデンバルコニー付き建物の要部を示す断面図である。
【図３】本発明の第２実施形態にかかるガーデンバルコニー付き建物の要部を示す断面図である。
【図４】本発明の第３実施形態にかかるガーデンバルコニー付き建物の要部を示す断面図である。
【図５】本発明の第４実施形態にかかるガーデンバルコニー付き建物を示す断面図である。
【図６】本発明の第５実施形態にかかるガーデンバルコニー付き建物を示す側面図である。
【図７】本発明の第６実施形態にかかるガーデンバルコニー付き建物を示す断面図である。
【図８】本発明の第７実施形態にかかるガーデンバルコニー付き建物を示す断面図である。
【図９】本発明の第８実施形態にかかるガーデンバルコニー付き建物を示す斜視図である。
【符号の説明】
１、１A、１B、１C、１D、１E      建物
２５、２５A、２５１C、２５２C、
２５１D、２５２D、２５３D        窓
３０、３０１、３０２             バルコニーユニット
３１、３１２                     勾配床面部
３２、３２１                     歩行用床面部
３４                             仕切り
３７                             防水シート
３８                             斜天井
３９A                            開口部
【図１】
0004616506.tif 000002
【図２】
0004616506.tif 000003
【図３】
0004616506.tif 000004
【図４】
0004616506.tif 000005
【図５】
0004616506.tif 000006
【図６】
0004616506.tif 000007
【図７】
0004616506.tif 000008
【図８】
0004616506.tif 000009
【図９】
0004616506.tif 000010